(57)【要約】【課題】経内視鏡的に粘膜切除術を行う際に、マーキング、粘膜切開及び粘膜切除を一つの処置具で連続的に容易に行うことができる内視鏡用高周波スネアを提供すること。【解決手段】可撓性シース１の先端内に出入りすることにより弾性的に膨縮するように弾性ワイヤ４，５によって形成された高周波電流を通電することができるスネアループ１０の先端において、スネアループ１０を形成する弾性ワイヤ４を、略Ｌ字状又は略Ｊ字状に折り曲げて側方に突出する状態に形成する。【選択図】      図１
2005080953.tif 000002
【特許請求の範囲】
【請求項１】
電気絶縁性の可撓性シース内に軸線方向に進退自在に導電性の操作ワイヤが挿通配置されて、その操作ワイヤの先端に導電性の弾性ワイヤからなるスネアループが連結され、上記操作ワイヤを軸線方向に進退操作することにより上記スネアループが上記可撓性シースの先端内に出入りして、上記スネアループが上記可撓性シース外では自己の弾性によって膨らみ、上記可撓性シース内に引き込まれることにより弾性変形して窄まるようにした内視鏡用高周波スネアにおいて、
上記スネアループの先端において上記弾性ワイヤを側方に突出する状態に折り曲げ形成したことを特徴とする内視鏡用高周波スネア。
【請求項２】
上記スネアループの先端において、上記弾性ワイヤが略Ｌ字状に折り曲げられている請求項１記載の内視鏡用高周波スネア。
【請求項３】
上記スネアループの先端において、上記弾性ワイヤが略Ｊ字状に折り曲げられている請求項１記載の内視鏡用高周波スネア。
【発明の詳細な説明】
【技術分野】
【０００１】
この発明は、内視鏡の処置具挿通チャンネルに通されて粘膜切除術等を行うために用いられる内視鏡用高周波スネアに関する。
【背景技術】
【０００２】
内視鏡用高周波スネアは一般に、可撓性シース内に軸線方向に進退自在に操作ワイヤが挿通配置されて、その操作ワイヤの先端に弾性ワイヤからなるスネアループが連結され、スネアループが、操作ワイヤを軸線方向に進退操作することにより可撓性シースの先端内に出入りして、可撓性シース外では自己の弾性によって膨らみ、可撓性シース内に引き込まれることにより弾性変形して窄まるようになっている（例えば、特許文献１）。
【特許文献１】特開２０００−８３９６３
【発明の開示】
【発明が解決しようとする課題】
【０００３】
一般に、経内視鏡的に粘膜切除術を行う際には、内視鏡観察によって目標とする患部を見つけたら、まず切除しようとする範囲の輪郭部の粘膜表面にマーキングをし、そのマーキングに沿って粘膜表面を環状に切開した後、その切開部により囲まれた内側の粘膜を切除する手順がとられる。
【０００４】
しかし、従来の内視鏡用高周波スネアではそのような処置のうちの粘膜切除しか行うことができず、マーキングを行うための処置具と粘膜切開を行うための処置具と粘膜切除を行うための内視鏡用高周波スネアとを取っかえ引っかえ用いなければならないので、作業が極めて煩雑であるだけでなく、処置具交換の度に汚液が飛散する可能性があって消毒も大変になる等の問題があった。
【０００５】
そこで本発明は、経内視鏡的に粘膜切除術を行う際に、マーキング、粘膜切開及び粘膜切除を一つの処置具で連続的に容易に行うことができる内視鏡用高周波スネアを提供することを目的とする。
【課題を解決するための手段】
【０００６】
上記の目的を達成するため、本発明の内視鏡用高周波スネアは、電気絶縁性の可撓性シース内に軸線方向に進退自在に導電性の操作ワイヤが挿通配置されて、その操作ワイヤの先端に導電性の弾性ワイヤからなるスネアループが連結され、操作ワイヤを軸線方向に進退操作することによりスネアループが可撓性シースの先端内に出入りして、スネアループが可撓性シース外では自己の弾性によって膨らみ、可撓性シース内に引き込まれることにより弾性変形して窄まるようにした内視鏡用高周波スネアにおいて、スネアループの先端において弾性ワイヤを側方に突出する状態に折り曲げ形成したものである。
【０００７】
なお、スネアループの先端において、弾性ワイヤが略Ｌ字状に折り曲げられていてもよく、或いは略Ｊ字状に折り曲げられていてもよい。
【発明の効果】
【０００８】
本発明によれば、高周波電流を通電することができるスネアループの先端において、スネアループを形成する弾性ワイヤを側方に突出する状態に折り曲げ形成したことにより、先端折り曲げ部によりマーキング処置と粘膜切開処置を行って、スネアループにより粘膜切除処置を行うことができるので、マーキング、粘膜切開及び粘膜切除を一つの処置具で連続的に極めて容易に行うことができる。
【発明を実施するための最良の形態】
【０００９】
高周波電流を通電することができるスネアループの先端において、スネアループを形成する弾性ワイヤを、略Ｌ字状又は略Ｊ字状に折り曲げて側方に突出する状態に形成する。
【実施例】
【００１０】
図面を参照して本発明の実施例を説明する。
図１及び図２は内視鏡用高周波スネアの先端部分を示しており、図１はスネアループ１０が膨らんだ状態を示し、図２はスネアループ１０が窄まった状態を示している。
【００１１】
この実施例の内視鏡用高周波スネアにおいては、例えば四フッ化エチレン樹脂チューブ等のような電気絶縁性の可撓性チューブからなる可撓性シース１内に、例えばステンレス鋼撚り線等のような良導電性の可撓性の操作ワイヤ２が軸線方向に進退自在に挿通配置されている。
【００１２】
操作ワイヤ２の先端には、スネアループ１０を形成する二本の弾性ワイヤ４，５が金属製の接続パイプ３を介して連結されており、可撓性シース１の基端に連結されている操作部（図示せず）において操作ワイヤ２を進退操作することにより、スネアループ１０が可撓性シース１の先端内に出入りする。
【００１３】
そして、図１に示されるように、スネアループ１０は、可撓性シース１外にある状態では自己の弾性によってループ状に膨らみ、図２に示されるように可撓性シース１内に引き込まれることにより弾性変形して窄まる。
【００１４】
スネアループ１０を形成する弾性ワイヤ４，５は各々、例えば複数のステンレス鋼線を撚った撚り線又は単線によって形成されていて、操作部側から操作ワイヤ２を介して高周波電流を通電することができる。
【００１５】
スネアループ１０を構成する二本の弾性ワイヤ４，５の後端部分は接続パイプ３内に並列に配置されているが、先端部分は並列に配置されて、例えば、銀ロー付け、金ロー付け又はレーザースポット溶接等によって互いに接合されている。
【００１６】
そして、一方の弾性ワイヤ４の最先端部分は略Ｌ字状に折り曲げられて、側方に向けて短く（例えば１〜３ｍｍ程度）突出している。６が、その先端折り曲げ部であり、先端折り曲げ部６は可撓性シース１内に引き込めなくても差し支えない。
【００１７】
このように構成された実施例の内視鏡用高周波スネアは、図３以下に示されるように、内視鏡１０の処置具挿通チャンネル１１から突出させた先端部分を観察窓１２を通して観察しながら、マーキング、粘膜切開及び粘膜切除の三つの処置を順に行うことができる。
【００１８】
図３は、マーキング処置の状態を示しており、目標患部１００の周囲の粘膜切除を行おうとする範囲の輪郭部に、先端折り曲げ部６の先端を点接触させて短時間だけ高周波電流を通電することにより、点状の火傷部からなるマーキング１０１を形成することができる。
【００１９】
図４は、それに続く粘膜切開処置の状態を示しており、先端折り曲げ部６を粘膜に付き刺す状態にして高周波電流を通電しながらマーキング１０１に沿って移動させることにより、目標患部１００の周囲の粘膜が切開される。
【００２０】
図５は、最後の粘膜切除処置の状態を示しており、周囲の粘膜が切開された目標患部１００をスネアループ１０で囲み、スネアループ１０を可撓性シース１内に引き込んで次第に窄ませながら高周波電流を通電することにより、目標患部１００の粘膜を容易に切除することができる。
【００２１】
なお、本発明は上記実施例に限定されるものではなく、例えば図６に示されるように、先端折り曲げ部６を略Ｊ字状その他の形状に形成しても、上記実施例と同様の効果を得ることができる。
【図面の簡単な説明】
【００２２】
【図１】本発明の第１の実施例の内視鏡用高周波スネア先端部分のスネアループが膨らんだ状態の側面断面図である。
【図２】本発明の第１の実施例の内視鏡用高周波スネア先端部分のスネアループが窄んだ状態の側面断面図である。
【図３】本発明の第１の実施例の内視鏡用高周波スネアのマーキング処置の状態を示す斜視図である。
【図４】本発明の第１の実施例の内視鏡用高周波スネアの粘膜切開処置の状態を示す斜視図である。
【図５】本発明の第１の実施例の内視鏡用高周波スネアの粘膜切除処置の状態を示す斜視図である。
【図６】本発明の第２の実施例の内視鏡用高周波スネア先端部分のスネアループが膨らんだ状態の側面断面図である。
【符号の説明】
【００２３】
１  可撓性シース
２  操作ワイヤ
４，５  弾性ワイヤ
６  先端折り曲げ部
１０  スネアループ
【図１】
2005080953.tif 000003
【図２】
2005080953.tif 000004
【図３】
2005080953.tif 000005
【図４】
2005080953.tif 000006
【図５】
2005080953.tif 000007
【図６】
2005080953.tif 000008
【手続補正書】
【提出日】平成15年10月20日(2003.10.20)
【手続補正１】
【補正対象書類名】明細書
【補正対象項目名】００１７
【補正方法】変更
【補正の内容】
【００１７】
このように構成された実施例の内視鏡用高周波スネアは、図３以下に示されるように、内視鏡５０の処置具挿通チャンネル１１から突出させた先端部分を観察窓１２を通して観察しながら、マーキング、粘膜切開及び粘膜切除の三つの処置を順に行うことができる。
【手続補正２】
【補正対象書類名】図面
【補正対象項目名】図３
【補正方法】変更
【補正の内容】
【図３】
2005080953.tif 000009
【手続補正３】
【補正対象書類名】図面
【補正対象項目名】図４
【補正方法】変更
【補正の内容】
【図４】
2005080953.tif 000010
【手続補正４】
【補正対象書類名】図面
【補正対象項目名】図５
【補正方法】変更
【補正の内容】
【図５】
2005080953.tif 000011